(57)【要約】本発明は電力線を用いた映像信号の送受信回路に関するもので、ＣＣＤカメラにより撮影された映像信号のバイアス電圧を調節するバイアス部と、電圧降下部を介して電力が供給されバイアス部を通過した映像信号を広帯域信号に増幅する差動増幅部と、差動増幅部により広帯域信号に増幅された映像信号を入力電力として用いて駆動され発振周波数のキャリア周波数に映像信号を取り込みながら変調する発振ＩＣと、発振ＩＣにより変調された映像信号から交流映像信号を誘導しＡＣ電力線に映像信号を出力するトランス部とにより送信回路を構成する一方、ＡＣ電力線を介したＡＣ電力を動作に必要な電力として供給する整流部と、ＡＣ電力線を介して受信される交流映像信号に対してＬＣ同調周波数により交流映像信号を誘導するトランス部と、受信感度を補正するために交流映像信号を増幅する増幅部と、増幅された映像信号の出力を増幅する出力増幅部とにより受信回路を構成することにより、低コストで製作でき、且つ設置も容易になるようにすることを特徴とする。
2009531938.tif 000002
【特許請求の範囲】
【請求項１】
電力線を用いた映像信号の送受信回路であって、
送信回路（Ａ）は、ＣＣＤカメラ（１）により撮影された映像信号のバイアス電圧を調節するバイアス部（２）と、１２Ｖの供給電力を信号の処理に必要な駆動電力に変換する電圧降下部（３）と、前記バイアス部（２）を通過した映像信号を広帯域信号に増幅させる差動増幅部（４）と、前記差動増幅部（４）により広帯域信号に増幅された映像信号を変調する発振ＩＣ（５）と、前記発振ＩＣ（５）により変調された映像信号を交流映像信号に変換し、耐電圧処理後ＡＣ電力線（１０）に出力するトランス部（６）とを有し、
受信回路（Ｂ）は、前記ＡＣ電力線（１０）を介してＡＣ電力を動作に必要な電力として供給する整流部（１１）と、前記ＡＣ電力線（１０）を介して受信される交流映像信号に対してＬＣ同調周波数により交流映像信号を誘導するトランス部（１２）と、受信感度を補正するために前記交流映像信号を増幅する増幅部（１３）と、前記増幅された映像信号の出力を増幅する出力増幅部（１４）とを有する
ことを特徴とする電力線を用いた映像信号の送受信回路。
【請求項２】
請求項１において、
前記送信回路は、
ＣＣＤカメラ（１）により撮影された映像信号のバイアス電圧を調節するために、可変抵抗（ＶＲ１）とコンデンサ（Ｃ１）とからなるバイアス部（２）と、
１２Ｖの供給電力を信号の処理に必要な駆動電力に変換するために、可変抵抗（ＶＲ２）と抵抗（Ｒ１）とからなる電圧降下部（３）と、
前記バイアス部（２）を通過した映像信号を広帯域信号に増幅させるために、ＮＰＮトランジスタ（ＴＲ１）とＰＮＰトランジスタ（ＴＲ２）とからなる差動増幅部（４）と、
前記差動増幅部（４）により広帯域信号に増幅された映像信号を入力電力として用いて駆動され、発振周波数のキャリア周波数に前記映像信号を取り込みながら前記映像信号を変調する発振ＩＣ（５）と、
前記発振ＩＣ（５）により変調された映像信号がトランス（Ｔ１）の１次側に印加される状態により２次側で交流映像信号を誘導し、コンデンサ（Ｃ２）で前記映像信号を耐電圧処理後、２次側で誘導された交流映像信号をＡＣ電力線（１０）に出力するトランス部（６）とを有する
ことを特徴とする電力線を用いた映像信号の送受信回路。
【請求項３】
請求項1において、
前記受信回路は、
前記ＡＣ電力線（１０）を介したＡＣ電力が１次側で誘導されると、ブリッジダイオード（Ｂ１）とコンデンサ（Ｃ３）を介してトランス（Ｔ２）の２次側で誘導されたＡＣ電力を整流する整流部（１１）と、
ＡＣ電力線（１０）を介して受信される交流映像信号がコンデンサ（Ｃ４）を介してトランス（Ｔ３）の１次側で誘導されると、２次側でトランス（Ｔ３）、コンデンサ（Ｃ５）及び可変コンデンサ（ＶＣ）のインダクタンスにより作られたＬＣ同調周波数により２次側で交流映像信号を誘導するトランス部（１２）と、
増幅器（ＯＰ１）（ＯＰ２）により２段階で増幅しながら受信感度を補正するために前記交流映像信号を増幅する増幅部（１３）と、
線路を介してモニタに出力するために、増幅器（ＯＰ３）を介して前記増幅された映像信号を増幅する出力増幅部（１４）とを有する
ことを特徴とする電力線を用いた映像信号の送受信回路。
【発明の詳細な説明】
【技術分野】
【０００１】
本発明は、電力線を用いた映像信号の送受信回路に関するもので、詳しくは、カメラにより撮影され増幅された映像信号を発振ＩＣにより合成変調波形に変調した後、電力線を介して送信又は受信される合成変調波形を発振ＩＣにより復調した映像信号を増幅し、モニタに送信することにより鮮明な画像を専用線や別途のモデムを構成することなく簡単な構成により見ることができるようにした、電力線を用いた映像信号の送受信回路に関するものである。
【背景技術】
【０００２】
最近では、カメラで撮影した画像をコンピュータを用いてモニタを見ながら編集してホームページやプレゼンテーション資料を作成したり、編集した画像をプリンタのような出力装置に出力したり、ハードディスクドライブやコンパクトディスクに保存したりすることができるようになった。
【０００３】
例えば、インターネット上で、カメラで撮影した画像を利用してホームページを作ったり、撮影した画像を挿入して様々な報告書を作成したり、卒業や結婚等の記念写真で電子アルバムを作ったり、フロッピーディスク等の記録媒体に保存したりすることができるようになった。
【０００４】
すなわち、従来のカメラは、被写体の光源を拡大して透過させるレンズと、被写体の光信号を電気的信号に変換する撮像素子（Ｃｈａｒｇｅ  Ｃｏｕｐｌｅｄ  Ｄｅｖｉｃｅ：ＣＣＤ）と、電気的信号のノイズを除去するノイズ除去部と、ノイズ除去部によりノイズが除去された信号を画像データに処理するディジタル信号処理部（Ｄｉｇｉｔａｌ  Ｓｉｇｎａｌ  Ｐｒｏｃｅｓｓｉｎｇ：ＤＳＰ）と、ディジタル信号処理部の出力信号を演算してシステム全体を制御する主制御部と、主制御部及びシステム全体の情報を保存するメモリと、複数のカメラから外部映像信号を入力し所望の映像信号を選択して出力するデコーダ／セレクタと、映像信号を圧縮する映像信号圧縮部と、コンピュータに接続されメモリに保存された映像信号を出力するＲＳ‐２３２Ｃポートと、制御信号が送受信されるネットワーク線に接続されるイーサネット（Ｅｔｈｅｒｎｅｔ）と、ＡＣアダプタから入力された電圧をカメラ内部で使用される様々なレベルの電圧に変換して供給する電力供給部とで構成されている。
【０００５】
上記のように構成された従来のカメラにおいて、カメラにより撮影された映像信号がＲＳ‐２３２Ｃポートに接続されたデータ送信用ケーブルを介してコンピュータに送信され、コンピュータのメモリに保存された映像信号も商用通信網及びインターネット上で送信装置を介して送ろうとする他のユーザのコンピュータに送信される。
【０００６】
さらに、コンピュータでカメラを制御する信号はネットワーク線を介してカメラのイーサネットに送信される。
【０００７】
カメラの映像信号を外部装置に送信するためには、データ送信用ケーブルとネットワークケーブルを別々に設けなければならない。
【０００８】
ＣＣＴＶの場合も、遠隔地に設けられたカメラとモニタリングセンターとの間で映像信号を送信するために多量のケーブルを包設しなければならない。
【０００９】
したがって、ケーブルの設置やケーブルの維持・補修に伴う煩雑さが生じ、ケーブル設置費用が多くかかる問題があった。
【００１０】
上記のような従来のカメラの問題を解決すべく、２０００年６月１３日付の韓国特許出願第１０‐２０００‐００３２３６４号（電力線通信（ＰＬＣ）モデムを備えたカメラ）が提案されている。
【００１１】
これは、コンピュータ間において映像信号及び制御信号の送受信が可能なカメラにおいて、カメラの映像信号が電力線を介してコンピュータに送信され、コンピュータの制御信号が電力線を介してカメラに送信させるための電力線通信モデムをカメラの出力端に接続することにより、別途のデータ送信用ケーブルなしに電力線を介してデータが送信されるようにしている。
【００１２】
しかし、上記のような従来の電力線通信（ＰＬＣ）モデムを備えたカメラによっては、電力線通信モデムを送信側と受信側のそれぞれに設けなければならず、その結果、構成はもちろんのこと、信号変換のための動作も複雑となる欠点があった。
【００１３】
一方、有線放送システムでは送信局から音声及び映像信号を含む放送信号を、有線線路を介して受信局に送信するが、このように、有線放送システムを運用するためには、放送信号を受信局に送信するための有線線路を各放送受信者にまで設けなければならない。
【００１４】
このように、従来の有線放送システムでは送信局と受信局との間を接続するための専用の有線線路を設けなければならないので、有線放送システムを運用するにあたり多くの設備費がかかり、経済性が低下する問題があった。
【００１５】
そこで、２０００年１２月１９日付の韓国特許出願第１０‐２０００‐００７８６１０号(電力線を用いた有線放送システム)が提案された。
【００１６】
提案されたシステムは、音声及び映像信号を含む放送信号を電力線を介して送信する送信局と、送信局から電力線を介して送信される放送信号を受信して確認できるように出力する受信局とを備える。
【００１７】
送信局は、放送受信者に提供しようとする音声及び映像信号を含む放送信号を生成する信号生成部と、信号生成部から印加される放送信号を交流電力周波数と異なる所定の周波数に変調する変調部と、電力線から印加される交流電力が変調部側に印加されないように遮断するとともに変調部から印加される放送信号を電力線側に送出する交流電力遮断部とを備える。
【００１８】
受信局は、電力線から印加される交流電力を遮断するとともに電力線から印加される放送信号を伝達する交流電力遮断部と、交流電力遮断部から印加される放送信号を復調するとともに音声及び映像信号を抽出して受信装置側に出力する復調部とを備える。
【００１９】
しかし、上記のような従来の電力線を用いた有線放送システムには、変調部と復調部の構成が複雑になり、かつ、変調と復調の作用が複雑になるという欠点があった。
【発明の開示】
【発明が解決しようとする課題】
【００２０】
そこで、本発明は、上記のような従来の問題を解消すべく案出されたもので、カメラにより撮影され増幅された映像信号を発振ＩＣにより合成変調波形に変調した後、電力線を介して送受信される合成変調波形を発振ＩＣで復調した映像信号を増幅し、モニタに送信して、鮮明な画像を専用線や別途のモデムを構成することなく簡単な構成により見ることができるような電力線を用いた映像信号の送受信回路を提供することをその目的とする。
【課題を解決するための手段】
【００２１】
上記目的を達成するための本発明の電力線を用いた映像信号の送受信回路において、送信回路はＣＣＤカメラにより撮影された映像信号のバイアス電圧を調節するバイアス部と、供給電力を信号の処理に必要な駆動電力に変換する電圧降下部と、バイアス部を通過した映像信号を広帯域信号に増幅する差動増幅部と、差動増幅部により広帯域信号に増幅された映像信号を入力電力として用いて駆動され発振周波数のキャリア周波数に上記映像信号を取り込みながら変調する発振ＩＣと、発振ＩＣにより変調された映像信号から交流映像信号を誘導し耐電圧処理後ＡＣ電力線に映像信号を出力するトランス部とを有し、受信回路はＡＣ電力線を介して供給されるＡＣ電力を動作に必要な電力として供給する整流部と、ＡＣ電力線を介して受信される交流の映像信号に対してＬＣ同調周波数により交流映像信号を誘導するトランス部と、受信感度を補正するために交流映像信号を増幅する増幅部と、増幅された映像信号の出力を増幅する出力増幅部とを有する
【００２２】
それによって、本発明の電力線を用いた映像信号の送受信回路は、低コストで製作でき、且つ設置も容易である。
【発明を実施するための最良の形態】
【００２３】
以下、添付の図面を参照して本発明の好ましい実施形態を説明する。
【００２４】
本発明に係る電力線を用いた映像信号の送受信回路において、送信回路（Ａ）は、ＣＣＤカメラ（１）により撮影された映像信号のバイアス電圧を調節するバイアス部（２）と、１２Ｖの供給電力を信号の処理に必要な駆動電力に変換する電圧降下部（３）と、バイアス部（２）を通過した映像信号を広帯域信号に増幅する差動増幅部（４）と、差動増幅部（４）により広帯域信号に増幅された映像信号を入力電力として用いて駆動され発振周波数のキャリア周波数に映像信号を取り込みながら変調する発振ＩＣ（５）と、トランス（Ｔ１）を通過しながら発振ＩＣ（５）により変調された映像信号から交流映像信号を誘導し耐電圧処理後ＡＣ電力線に映像信号を出力するトランス部（６）と、ＡＣ電力線（１０）から供給されるＡＣ電力をその電圧を降下しながら整流し動作に必要なＤＣ電力を供給する整流部（７）とによって構成される。
【００２５】
また、本発明に係る電力線を用いた映像信号の送受信回路において、受信回路（Ｂ）は、ＡＣ電力線（１０）を介して供給されるＡＣ電力を動作に必要な電力として供給する整流部（１１）と、ＡＣ電力線（１０）を介して受信される交流映像信号に対してＬＣ同調周波数により交流映像信号を誘導するトランス部（１２）と、受信感度を補正するために交流映像信号を増幅する増幅部（１３）と、増幅された映像信号の出力を増幅する出力増幅部（１４）とによって構成される。
【００２６】
図２は送信回路の構成を示したものである。送信回路は、ＣＣＤカメラ（１）により撮影された１５．４ｋＨｚ〜４ＭＨｚ帯域の映像信号のバイアス電圧を調節するために可変抵抗（ＶＲ１）とコンデンサ（Ｃ１）とからなるバイアス部（２）と、１２Ｖの供給電直を信号の処理に必要な駆動電力に変換するために可変抵抗（ＶＲ２）と抵抗（Ｒ１）とからなる電圧降下部（３）と、バイアス部（２）を通過した映像信号を広帯域信号に増幅するためにＮＰＮトランジスタ（ＴＲ１）とＰＮＰトランジスタ（ＴＲ２）とからなる差動増幅部（４）と、差動増幅部（４）により広帯域信号に増幅された映像信号を入力電力として用いて駆動され発振周波数のキャリア周波数に映像信号を取り込みながら映像信号を変調する発振ＩＣ（５）と、発振ＩＣ（５）により変調された映像信号がトランス（Ｔ１）の１次側に印加される状態により２次側で交流映像信号を誘導しコンデンサ（Ｃ２）で映像信号を耐電圧処理後２次側で誘導された交流映像信号をＡＣ電力線（１０）に出力するトランス部（６）と、ＡＣ電力線（１０）から供給されるＡＣ電力をトランス（Ｔ１１）により電圧降下しながらブリッジダイオード（Ｂ２）を用いて整流し動作に必要なＤＣ電力を供給する整流部（７）とによって構成される。
【００２７】
図３は受信回路を示したものである。受信回路は、ＡＣ電力線（１０）を介したＡＣ電力が１次側で誘導するとトランス（Ｔ２）の２次側で電圧降下されたＡＣ電力を誘導することによりブリッジダイオード（Ｂ１）とコンデンサ（Ｃ３）を介して整流されたＤＣ電力を動作に必要な電力として供給する整流部（１１）と、ＡＣ電力線（１０）を介して受信される交流映像信号がコンデンサ（Ｃ４）を介してトランス（Ｔ３）の１次側で誘導されると、２次側でトランス（Ｔ３）、コンデンサ（Ｃ５）及び可変コンデンサ（ＶＣ）のインダクタンスにより作られたＬＣ同調周波数により２次側で交流映像信号を誘導するトランス部（１２）と、増幅器（ＯＰ１）（ＯＰ２）により２段階で増幅しながら受信感度を補正するために上記交流映像信号を増幅する増幅部（１３）と、線路を介してモニタに出力するために増幅器（ＯＰ３）を介して上記増幅された映像信号を増幅する出力増幅部（１４）とによって構成される。
【００２８】
上記のように構成した本発明の電力線を用いた映像信号の送受信回路は、ＣＣＤカメラ（１）により撮影された１５．４ｋＨｚ〜４ＭＨｚ帯域の映像信号は、バイアス部（２）の可変抵抗（ＶＲ１）とコンデンサ（Ｃ１）とによりバイアス電圧が調節され、図４ａに示すように、波形の映像信号として送信される。
【００２９】
１２Ｖの供給電力は、電圧降下部（３）の可変抵抗（ＶＲ２）と抵抗（Ｒ１）により信号の処理に必要な駆動電力に変換される。
【００３０】
バイアス部（２）を通過した映像信号は、差動増幅部（５）のＮＰＮトランジスタ（ＴＲ１）とＰＮＰトランジスタ（ＴＲ２）を通過しながら広帯域信号に増幅される。
【００３１】
差動増幅部（５）により広帯域信号に増幅された映像信号を入力電力として用いて駆動される発振ＩＣ（５）は、図４ｂに示すような発振周波数のキャリア周波数に映像信号を取り込みながら変調することにより、映像信号は図４ｃに示すような合成変調波形の映像信号になる。
【００３２】
発振ＩＣ（５）により変調された映像信号はトランス部の（６）トランス（Ｔ１）の１次側に印加され、トランス（Ｔ１）の２次側で誘導された交流映像信号はコンデンサ（Ｃ２）で耐電圧処理後、ＡＣ電力線（１０）に出力される。
【００３３】
回路を動作するのに必要なＤＣ電力は、整流部（７）のトランス（Ｔ１１）で電圧降下する間にブリッジダイオード（Ｂ２）を介してＡＣ電力線（１０）から供給されるＡＣ電力を整流することにより供給される。
【００３４】
ＡＣ電力線（１０）からのＡＣ電力が整流部（１１）のトランス（Ｔ２）の１次側で誘導されると、トランスの２次側で電圧降下されたＡＣ電力が誘導され、ブリッジダイオード（Ｂ１）とコンデンサ（Ｃ３）により整流されたＤＣ電力が回路を動作するのに必要な電力として供給される。
【００３５】
ＡＣ電力線（１０）を介して受信される交流映像信号がコンデンサ（Ｃ４）を通過した後、トランス部（１２）のトランス（Ｔ３）の１次側で誘導されると、２次側でトランスのトランス（Ｔ３）、コンデンサ（Ｃ５）及び可変コンデンサ（ＶＣ）のインダクタンスにより作られたＬＣ同調周波数によりトランス（Ｔ３）の２次側で交流映像信号が誘導されることにより、映像信号が復調される。
【００３６】
増幅部（１３）の増幅器(ＯＰ１)（ＯＰ２）により２段階で増幅しながら受信感度を補正するために交流映像信号が増幅される。
【００３７】
線路を介してモニタに出力するために、出力増幅部（１４）の増幅器（ＯＰ３）を介して増幅された映像信号を増幅することにより、図４ａに示すような映像信号がモニタに送信される。
【産業上の利用可能性】
【００３８】
以上、詳しく説明したように、本発明に係る電力線を用いた映像信号の送受信回路によって、カメラにより撮影され増幅された映像信号を発振ＩＣにより合成変調波形に変調し、変調された映像信号をトランス及びＡＣ電力線を介して送信し、電力線を介して受信される合成変調波形をトランスのＬＣ同調周波数により映像信号に復調し、復調された映像信号を増幅し、モニタに送信することにより鮮明な画像を専用線や別途のモデムを構成することなく簡単な構成により見ることができる効果がある。
【図面の簡単な説明】
【００３９】
【図１】本発明の全体構成を概略的に示すブロック図。
【図２】本発明の送信回路の構成を示す回路図。
【図３】本発明の受信回路の構成を示す回路図。
【図４】本発明の動作のための主要部分の波形図。
【図１】
2009531938.tif 000003
【図２】
2009531938.tif 000004
【図３】
2009531938.tif 000005
【図４】
2009531938.tif 000006
2009531938.tif 000007
2009531938.tif 000008
2009531938.tif 000009
【国際調査報告】
2009531938.tif 000010
2009531938.tif 000011